(57)【要約】【課題】  インターフェース用ケーブルを差し替えることなく、様々のデジタル家電機器にデジタル映像信号を供給できるデジタル映像出力機器を提供する。【解決手段】  映像信号出力機器１は、入力された映像信号及び音声信号を、１系統の時分割シリアル信号に変換して出力する信号処理部１０１と、複数の出力端子を有し、前記信号処理手段から入力された前記シリアル信号を、制御信号に応じて前記複数の出力端子のうち選択された１つの端子から提供する切替えスイッチ１０３と、前記複数の出力端子にそれぞれ接続された複数のデジタルインターフェース端子１０４ａ〜１０４ｃと、ユーザインターフェース１７からの指示入力に応じて、前記複数の出力端子の中で前記シリアル信号が出力される端子を選択するための前記制御信号を前記出力選択手段に提供する制御部１２とを具備する。【選択図】    図３
2006019948.tif 000002
【特許請求の範囲】
【請求項１】
入力された映像信号及び音声信号を、１系統の時分割シリアル信号に変換して出力する信号処理手段と、
複数の出力端子を有し、前記信号処理手段から出力された前記シリアル信号を、制御信号に応じて前記複数の出力端子のうち選択された１つの端子から提供する出力選択手段と、
前記複数の出力端子にそれぞれ接続された複数のデジタルインターフェース端子と、
ユーザインターフェースからの指示入力に応じて、前記複数の出力端子の中で前記シリアル信号が出力される端子を選択するための前記制御信号を前記出力選択手段に提供する制御部と、
を具備することを特徴とする映像信号出力機器。
【請求項２】
入力された映像信号及び音声信号を、１系統の時分割シリアル信号に変換して出力するＨＤＭＩ信号処理手段と、
複数の出力端子を有し、前記ＨＤＭＩ信号処理手段から出力された前記シリアル信号を、制御信号に応じて前記複数の出力端子のうち選択された１つの端子から提供する出力選択手段と、
前記複数の出力端子にそれぞれ接続された複数のＨＤＭＩ端子と、
ユーザインターフェースからの指示入力に応じて、前記複数の出力端子の中で前記シリアル信号が出力される端子を選択するための前記制御信号を前記出力選択手段に提供する制御部と、
を具備することを特徴とする映像信号出力機器。
【請求項３】
映像信号及び音声信号を生成する信号生成手段と、
前記信号生成手段から入力された映像信号及び音声信号を、１系統の時分割シリアル信号に変換して出力するＨＤＭＩ信号処理手段と、
複数の出力端子を有し、前記ＨＤＭＩ信号処理手段からの前記シリアル信号を入力し、該入力信号を、制御信号に応じて前記複数の出力端子のうち選択された１つの端子から提供する出力選択手段と、
前記複数の出力端子にそれぞれ接続されたＨＤＭＩ端子と、
を具備することを特徴とする映像信号出力機器。
【請求項４】
映像信号及び音声信号を生成する信号生成手段と、
前記信号生成手段から入力された映像信号及び音声信号を、１系統の時分割シリアル信号に変換して出力するＨＤＭＩ信号処理手段と、
複数の出力端子を有し、前記ＨＤＭＩ信号処理手段からの前記シリアル信号を入力し、該入力信号を、制御信号に応じて前記複数の出力端子のうち選択された１つの端子から提供する出力選択手段と、
前記複数の出力端子にそれぞれ接続されたＨＤＭＩ端子と、
前記ＨＤＭＩ端子のいずれかに外部機器が接続されたとき、接続された外部機器からの情報を基に、前記外部機器と前記ＨＤＭＩ信号処理手段との間を接続するように前記出力選択手段を制御する制御手段と、
を具備することを特徴とする映像信号出力機器。
【請求項５】
前記外部機器からの情報として、ＥＤＩＤを利用することを特徴とする請求項４記載の映像信号出力機器。
【発明の詳細な説明】
【技術分野】
【０００１】
この発明は、映像及び音声信号をデジタルインターフェース端子を介して出力する映像出力機器に関する。
【背景技術】
【０００２】
従来、ＶＴＲ等の映像出力機器は、映像及び音声信号をアナログ形式で出力する。
【０００３】
最近では、ＨＤＭＩ等のデジタルインターフェースを介して信号をデジタル形式で出力するＤＶＤプレーヤー、デジタル衛星放送チューナ等のセットトップボックスが開発された。また、同時に複数のマルチメディア通信を平行して行える機器も開発された（特許文献１）。
【特許文献１】特開平９−２２４０８１号公報
【発明の開示】
【発明が解決しようとする課題】
【０００４】
デジタル映像出力機器にはＨＤＭＩ等のデジタルインターフェースの出力系統が１系統のみ設けられ、従ってデジタルインターフェース用出力端子も１つのみ設けられている。
【０００５】
デジタル映像出力機器からのデジタル映像信号を複数のデジタル家電機器で使用するような場合には問題が生じる。つまり、デジタル映像出力機器の出力映像信号をテレビで再生して表示したり、ＤＶＤレコーダにより記録する場合、デジタル映像出力機器とのインターフェース用ケーブルを差し替えなければならない。
【０００６】
本発明は、インターフェース用ケーブルを差し替えることなく、様々のデジタル家電機器にデジタル映像信号を供給できるデジタル映像出力機器を提供することを目的としている。
【課題を解決するための手段】
【０００７】
本発明の一実施形態に係る映像信号出力機器は、入力された映像信号及び音声信号を、１系統の時分割シリアル信号に変換して出力する信号処理手段と、複数の出力端子を有し、前記信号処理手段から出力された前記シリアル信号を、制御信号に応じて前記複数の出力端子のうち選択された１つの端子から提供する出力選択手段と、前記複数の出力端子にそれぞれ接続された複数のデジタルインターフェース端子と、ユーザインターフェースからの指示入力に応じて、前記複数の出力端子の中で前記シリアル信号が出力される端子を選択するための前記制御信号を前記出力選択手段に提供する制御部とを具備する。
【発明の効果】
【０００８】
インターフェース用ケーブルを差し替えることなく、様々のデジタル家電機器にデジタル映像信号を供給できるデジタル映像出力機器を提供することができる。
【発明を実施するための最良の形態】
【０００９】
以下、図面を参照しながら本発明の実施の形態について詳細に説明する。
【００１０】
図１は本発明が適用される映像信号出力機器１の構成を示すブロック図である。映像信号出力機器１はセットトップボックス（ＳＴＢ）であって、例えばデジタル衛星放送受信機である。
【００１１】
映像信号出力機器１は、ネットワークアダプタ６、デジタル放送信号入力端子７、メモリ８、デコーダ９、チューナー１０、出力制御部１１、ＣＰＵ１２、グラフィック処理部１３、ＨＤＭＩ出力端子１０４ａ〜１０４ｃ、アナログ信号出力端子１０４ｄ、映像音声処理部１６、操作部１７を備えている。
【００１２】
入力端子７にはアンテナで受信された放送信号が入力される。チューナー１０は入力端子７からのデジタル放送信号から特定番組データのＴＳ（Transport Stream）を抽出する。デコーダ９は抽出されたＴＳをデコードし２系統の信号、つまり共に複数ビットで構成される映像信号及び音声信号を出力する。ここで、チューナー１０及びデコーダ９は、デコードされた映像信号及び音声信号を生成する信号生成手段である。
【００１３】
映像音声処理部１６はデコーダ９によってデコードされた番組の映像信号を、テレビ１０５等の出力先映像機器に適した信号に変換する。また映像音声処理部１６はデコードされた番組の映像信号及び音声信号をそれぞれＤＡ変換し、アナログ信号出力端子１０４ｄに供給する。アナログ信号出力端子１０４ｄには、チューナー１０が番組データを受信している限り、常にアナログ映像信号及びアナログ音声信号が発生される。出力制御部１１は、２系統の信号として入力される映像信号及び音声信号を、１系統の時分割シリアル信号すなわちＨＤＭＩ信号に変換し、変換した信号を出力端子１０４ａ、１０４ｂ及び１０４ｃの１つの端子を介して送信する。ＨＤＭＩでは図２に示すように、デジタルの映像データ及び音声データが時分割及びシリアルに転送される。
【００１４】
操作部１７は、各種入力操作を受けつけるための様々なキーが設けられたユーザインターフェースであって、例えばリモートコントローラである。ＣＰＵ６は操作部１７からの入力信号に基づいて、映像信号出力機器１の各部を制御する。メモリ８は本発明によるプログラムを格納するＲＯＭ及びＣＰＵ１２の作業エリアとして使用されるＲＡＭを含む。グラフィック処理部１３は、ＯＳＤ(on screen display)画像等を必要に応じて生成する。ネットワークアダプタ６は通信ネットワークへのインターフェースを実現する。
【００１５】
次に、図３を参照して出力制御部１１について説明する。
【００１６】
出力制御部１１は、ＨＤＭＩ信号出力部１０１、切替えスイッチ１０３、ＨＤＭＩ出力端子１０４ａ〜１０４ｃを有している。ＨＤＭＩ信号出力部１０１は映像音声処理部１６から提供される映像信号と音声信号の２系統の信号を、図２に示すように映像データ及び音声データを含む１系統のシリアル信号に変換する。ＨＤＭＩ信号出力部１０１はＬＳＩ等の集積回路で構成され、映像信号出力機器１に１回路設けられる。尚、映像音声処理部１６及びＨＤＭＩ信号出力部１１を１つのＬＳＩとして製作しても良い。
【００１７】
マイコン１０２はＣＰＵ１２からの指示に従って、切替えスイッチ１０３を切替える。これによって、ＨＤＭＩ信号出力部１０１から出力されるシリアル映像・音声信号は、ＨＤＭＩ出力端子１０４ａ〜１０４ｃの何れか１つの端子から提供される。ＨＤＭＩ出力端子１０４ａ〜１０４ｃと、テレビ１０５等の映像機器とはＨＤＭＩ専用ケーブル１０８ａ〜１０８ｃで夫々接続される。
【００１８】
尚、ＨＤＭＩ信号出力部１０１、切替えスイッチ１０３、出力端子１０４ａ〜１０４ｃを接続する信号線は、シリアル映像・音声信号用の信号線の他にＥＤＩＤ信号等を伝送するための信号線を含む。ＥＤＩＤ(Extended Display Identification Data)は、ディスプレイ側（例えばテレビ１０５）からホスト側（映像信号出力機器１）に対し、ディスプレイ側の情報（解像度、画素数等）を認識させるためのデータである。各映像機器１０５〜１０７はＥＤＩＤメモリ１０９ａ〜１０９ｃを各々有し、ＥＤＩＤメモリ１０９ａ〜１０９ｃに、自機器のＥＤＩＤを格納する。マイコン１０２は、切替えスイッチ１０３により、出力端子１０４ａ〜１０４ｃに接続されている映像機器のＥＤＩＤを読込み保持する。映像音声処理部１６は、ユーザにより特定された映像機器のＥＤＩＤに基づいて、映像データを処理する。これにより、ＨＤＭＩ信号出力部１０１から出力される映像データは、出力先の映像機器に適合される。
【００１９】
図４は本実施形態の動作を示すフローチャートである。
【００２０】
ＣＰＵ１２はユーザから操作部１７を介して、ＨＤＭＩ出力端子１０４ａ〜１０４ｃの１つを特定する信号が入力されたか判断する（ＳＴ０１）。特定する信号が入力され（ＳＴステップＳＴ０１でＹＥＳ）、該信号が出力端子１０４ｂを示す場合（ステップＳＴ０２でＹＥＳ）、ＣＰＵ１２はマイコン１０２を介して切替スイッチ１０３を出力端子１０４ｂ側に接続し（ＳＴ０３）、出力端子１０４ｂに接続された映像機器１０６のＥＤＩＤに基づいて、映像音声処理部１６の処理を設定する（ＳＴ０４）。これにより、映像音声処理部１６はテレビ１０６に最適な映像信号を生成する。
【００２１】
前記信号が出力端子１０４ｂではなく（ステップＳＴ０２でＮＯ）、出力端子１０４ｃを示す場合（ステップＳＴ０５でＹＥＳ）、ＣＰＵ１２はマイコン１０２を介して切替スイッチ１０３を出力端子１０４ｃ側に接続し（ＳＴ０６）、出力端子１０４ｃに接続された映像機器１０７のＥＤＩＤに基づいて、映像音声処理部１６の処理を設定する（ＳＴ０７）。
【００２２】
前記信号が出力端子１０４ｃではない場合（ステップＳＴ０５でＮＯ）、又は出力端子１０４ａ〜１０４ｃの１つを特定する信号が入力されていない場合（ＳＴ０１でＮＯ）、ＣＰＵ１２はマイコン１０２を介して切替スイッチ１０３を出力端子１０４ａ側に接続し（ＳＴ０８）、出力端子１０４ａに接続された映像機器１０５のＥＤＩＤに基づいて、映像音声処理部１６の処理を設定する（ＳＴ０９）。これにより、映像音声処理部１６はテレビ１０６に最適な映像信号を生成する。従って、例えばテレビ１０５とテレビ１０６の解像度あるいはアスペクト比が異なる場合でも、各テレビに最適な映像信号が送信される。
【００２３】
このように本実施形態によれば、ＨＤＭＩ信号出力部１０１から出力される信号が、切替えスイッチ１０３を介して複数のＨＤＭＩ出力端子から提供される。従って、インターフェース用ケーブルを差し替えることなく、様々のデジタル映像機器に映像信号を供給できる。また、１つのＨＤＭＩ信号処理用ＬＳＩを用いて、複数の信号出力先の映像機器にＨＤＭＩを介して映像及び音声信号を提供することができるので、複数のＨＤＭＩ信号処理用ＬＳＩを用いる場合に比べ、映像出力機器のコストアップを抑えることが出来る。
【００２４】
以上の説明はこの発明の実施の形態であって、この発明の装置及び方法を限定するものではなく、様々な変形例を実施することができる。そのような変形例も本発明に含まれるものである。又、各実施形態における構成要素、機能、特徴あるいは方法ステップを適宜組み合わせて構成される装置又は方法も本発明に含まれるものである。
【図面の簡単な説明】
【００２５】
【図１】本発明が適用される映像信号出力機器１の構成を示すブロック図である。
【図２】ＨＤＭＩにより映像データ及び音声データが転送される様子を示す図である。
【図３】出力制御部１１の構成を示すブロック図である。
【図４】本発明の一実施形態に係る動作を示すフローチャートである。
【符号の説明】
【００２６】
１…映像信号出力機器、７…入力端子、１０１…ＨＤＭＩ信号出力部、１０４ａ〜１０４ｃ…ＨＤＭＩ出力端子、１０４ｄ…アナログ信号出力端子、１０８ａ〜１０８ｃ…ＨＤＭＩ専用ケーブル、１０９ａ〜１０９ｃ…ＥＤＩＤメモリ、１０５、１０６…テレビ、１０７…ＤＶＤレコーダ。
【図１】
2006019948.tif 000003
【図２】
2006019948.tif 000004
【図３】
2006019948.tif 000005
【図４】
2006019948.tif 000006